(57)【要約】【課題】磁力が身体に及ぼす効果をより効果的に発揮し得る磁石付き装身具を提供する。【解決手段】磁石が取り付けられた２つの磁石部２Ａ、２Ｂと、身体に密着させて巻き付けるバンド部３とを備えた磁石付き装身具であって、上記２つの磁石部は、装着した際に上記磁石２０の磁極面の極性が互いに引き合い且つ上記磁石部同士が身体を介して対峙するよう配置されるとともに、上記磁石は、磁束密度を１００〜２３０ミリテスラとし、上記磁石部が上記弾性部をして身体に密着固定されることを特徴とする。【選択図】図１
0003148371.tif 000002
【実用新案登録請求の範囲】
【請求項１】
磁石が取り付けられた２つの磁石部と、身体に密着させて巻き付けられるバンド部とを備えた磁石付き装身具であって、
上記２つの磁石部は、身体に装着した際に上記磁石の磁極面の極性が互いに引き合い且つ上記磁石部同士が該身体を介して対峙するよう配置されるとともに、
上記磁石は、リング型からなり、磁束密度を１００〜２３０ミリテスラとし、上記磁石部が上記弾性部をして身体に密着固定されることを特徴とする磁石付き装身具。
【請求項２】
請求項１において、
上記磁石は、ネオジム磁石からなることを特徴とする磁石付き装身具。
【請求項３】
請求項１又は請求項２において、
いずれか一方の上記磁石部は、上記バンド部に取付固定されており、他方の上記磁石部は、上記磁石部同士が身体を介して対峙して配置されるよう移動可能に取付けられていることを特徴とする磁石付き装身具。
【考案の詳細な説明】
【技術分野】
【０００１】
本考案は、手首或いは足首などに装着する磁石付き装身具であって、磁石が取り付けられた２つの磁石部と、身体に密着させて巻き付けられるバンド部とを備えた磁石付き装身具に関する。
【背景技術】
【０００２】
従来より、磁力を利用して身体の血行をよくし、肩のこりなどの身体の不調を緩和する磁気バンド、磁気ネックレス、磁気リングが健康器具、装身具などとして広く知られている。これらによれば、湿布薬或いは塗り薬とは違って匂いや刺激がなく、半永久的に使い続けることができるメリットがある。
下記特許文献１には、軸芯方向に沿って１又は２以上の磁性体を配置し、その周囲を肉厚の金属類で被覆してリング部分を形成したリング状磁気装身具が記載されている。これによれば、貴金属類が持つ装飾性を備えた装身具でありながら、製造が簡単で錆が発生するおそれがなく、指や手首などの周囲に磁気を作用させ、血行をよくすることができるとされている。
下記特許文献２には、リング型異方性磁石を備えた弾性素材からなるブレスレットが記載されており、手首の所定の位置に磁石のＮ極、Ｓ極が配置されるように装着すれば、生活習慣や体調不良によって生じた背骨や骨盤の歪みが矯正され、美容と健康管理に役立つものとすることができるとされている。
【特許文献１】特開２０００−３３４０４９号公報
【特許文献２】特開２００４−３１３６８８号公報
【考案の開示】
【考案が解決しようとする課題】
【０００３】
このように磁石を用いたものは、上記以外にも多種見られるが、使用者にとって血行の促進、体調不良の改善を実感できるものとするためには、より改善が求められるところであった。発明者が種々試みたところによれば、磁束密度が１００〜２３０ミリテスラの２つのリング型磁石を身体に密着固定し、磁極面の極性が互いに引き合い且つ該磁石を身体を介して対峙するよう配置させると、血行促進、身体の歪みの矯正などに対してより効果を発揮することがわかった。
しかしながら、手首や足首などに装着する装身具として、使用者に不快感を感じさせることなく、磁石を身体を介して対峙するよう配置し且つ、身体に密着固定させるのは難しく、ましてやそれにファッション性を備えたものとなると更に難しいものであった。上記特許文献１に記載のものは、磁性体が肉厚の装飾性金属類で被覆されているので、装飾性のある装身具を構成することはできるが、身体に密着固定させて装着させることはできないものであった。
【０００４】
上記特許文献２に記載のものは、磁石の磁極面をどのように配置するかについては開示されているが、ブレスレットの構成については、弾性素材からなる点以外に開示されておらず、また磁束密度についてもどの程度のものとするかは記載されていないものであった。
【０００５】
本考案は、磁力が身体に及ぼす効果をより効果的に発揮し得る磁石付き装身具を提供するものである。
【課題を解決するための手段】
【０００６】
本考案に係る磁石付き装身具は、磁石が取り付けられた２つの磁石部と、身体に密着させて巻き付けられるバンド部とを備えた磁石付き装身具であって、上記２つの磁石部は、リング型からなり身体に装着した際に上記磁石の磁極面の極性が互いに引き合い且つ上記磁石部同士が該身体を介して対峙するよう配置されるとともに、上記磁石は、磁束密度を１００〜２３０ミリテスラとし、上記磁石部が上記弾性部をして身体に密着固定されることを特徴とする。ここで１ミリテスラは１０ガウスであり、磁束密度をガウスであらわすと１０００ガウス〜２３００ガウスである。
【０００７】
本考案においては、上記磁石は、リング型のネオジム磁石からなるものとすることができる。また、いずれか一方の上記磁石部は、上記バンド部に取付固定されており、他方の上記磁石部は、上記磁石部同士が身体を介して対峙して配置されるよう移動可能に取付られているものとすることができる。
【考案の効果】
【０００８】
本考案の磁石付き装身具によれば、皮膚に刺激を感じることなく、手首や足首などに装着するだけで、人体の歪みを正常化し、その結果、肩こりや腰痛を緩和するだけでなく、筋力を向上させることができる。また本発明の磁石付き装身具は、身体に密着させて巻き付けられるバンド部で密着固定されるので、手首や足首などに適度にフィットした状態で装着することができる。
【０００９】
１ヶ月に亘るモニター結果によれば、本考案の磁石付き装身具を手首に装着すると、上半身・下半身のトレーニングデータの上昇、体脂肪率の減少と筋肉率の上昇が顕著に見られ、トレーニングの効果が増すことがわかった。
試作及び試着実験を繰り返し行った結果より、磁石はリング型からなるものが上述の効果を安定的に発揮し得、磁束密度は１００〜２３０ミリテスラが好適であることがわかった。
磁束密度が１００ミリテスラより小さい値の磁束密度を備えた磁石を用いた場合は、肩こり、腰痛などの緩和を感じるのに、個人差が大きく、筋力の向上という効果は期待できなかった。
磁束密度が２３０ミリテスラより大きい値の磁束密度を備えた磁石を用いた場合は、磁石部を介して身体に浸透する磁束密度が１００ミリテスラ以上になってしまうおそれがあり、また磁束密度を大きくすることによる顕著な筋力の向上が期待できず、コストアップの懸念がある。
【考案を実施するための最良の形態】
【００１０】
以下、本考案の実施の形態を図面を参照しながら、詳しく説明する。
図１は本考案に係る磁石付き装身具の一実施形態を示す全体斜視図、図２は同磁石付き装身具の側面図、図３は同磁石付き装身具を手首に装着した例を示す斜視図、図４（ａ）は同磁石付き装身具に用いられる磁石の全体斜視図、図４（ｂ）は同磁石付き装身具の装着時の磁力線を模式的に示した説明図、図５〜図７は同磁石付き装身具の効果を証明するために種々測定結果をまとめた図、
図８は同磁石付き装身具の変形例を示しており、図８（ａ）は該磁石付き装身具の変形例の全体斜視図、図８（ｂ）は同磁石付き装身具の平面図、図９（ａ）及び（ｂ）は同磁石付きリング状装身具のさらに別の変形例の全体斜視図である。
【００１１】
図に示す磁石付き装身具１は、手首に装着するブレスレットタイプのものを示しており、シンプルなデザインからなるものなので、使用者の服装を問わずに使用できるものである。
磁石付き装身具１は、第１の磁石部２Ａ及び第２の磁石部２Ｂと、細長状の帯体のバンド部３とを備えている。バンド部３は伸縮自在なゴム材、シリコン系樹脂材などの弾性を備えた素材からなる弾性部３０と、磁石付き装身具１を装着する使用者の手首のサイズにあわせてサイズ調整ができるよう調整孔３１ａが形成された調整部３１Ａ、３１Ｂとを備えている。調整部３１Ａ、３１Ｂは、弾性部３０の両端部に縫合されており、調整部３１Ａ、３１Ｂのそれぞれには２つの調整孔３１ａが形成されている。バンド部３を弾性部３０のみからなるものとすることもできるが（後記する図９（ａ）参照）、このように調整部３１Ａ、３１Ｂを備えることにより、バンド部３が弾性部３０のみからなる場合と比べて弾性部３０の傷みを抑え、良好な伸縮状態を長く維持することができる。またバンド部３を弾性部３０と調整部３１Ａ、３１Ｂとからなるものとすれば、調整部３１Ａ、３１Ｂのみからなる場合と比べて、身体に密着固定する際のフィット感に優れ、装着する際には弾性部３０が伸び縮みするので、装着しやすいものとすることができる。調整部３１Ａ、３１Ｂは弾性部３０と別の素材から構成されており、特に限定されるものではないが、合成皮革、天然皮革など腕時計のバンドと同じ公知の素材を用いることができる。
【００１２】
第１の磁石部２Ａは、帯状の磁石付き装身具１を環状体とするための連結金具となっており、カバー部２１と、装着した際には肌に密着固定されるプレート部２２とを備えており、手首に沿うよう緩やかに湾曲して形成されている。第１の磁石部２Ａは、バンド部３の調整部３１Ａの片端部に取付固定されており、他方の第２の磁石部２Ｂは、磁石２０同士が身体（この場合は手首）を介して対峙して配置されるよう移動可能に取付られている。第１の磁石部２Ａ及び第２の磁石部２Ｂの素材は特に限定されるものではないが、磁石２０が発する磁力を遮ることなく、金属材などの表面にメッキを施したものを用いることができる。
【００１３】
第１の磁石部２Ａの大きさは特に限定されるものではないが、例えばおよそ長手方向が３０．０ｍｍ〜５０．０ｍｍ、幅方向が１０．０ｍｍ〜１５．０ｍｍ、厚みが４．５ｍｍ〜１０．０ｍｍの直方体からなるものを用いることができる。カバー部２１は、バンド部３の両端部の調整部３１Ａ、３１Ｂを収容できるように断面凹状になっており、カバー部２１は、板状のプレート部２２に被さるように取り付けられ、プレート部２２と固着一体とされる。板状のプレート部２２と凹状のカバー部２１とにより第１の磁石部２Ａの両端部にはバンド部３が受容する空間２４が形成される（図２参照）。カバー部２１の調整部３１Ａが挿入される側には、孔部２１ｂが形成されており、該孔部２１ｂ（メス部材）に対応してプレート部２２にはヒンジピン２２ｂ（オス部材）が形成されている。このように、孔部２１ｂとヒンジピン２２ｂとがヒンジ結合されることにより、ヒンジピン２２ｂを軸としてカバー部２１とプレート部２２とが回動自在になっている（図１白抜矢印参照）。また、カバー部２１の内壁面には、調整部３１Ａを固定する支持突起２１ａが形成されており、調整部３１Ａの調整孔３１ａを該支持突起２１ａに挿入して調整部３１Ａが第１の磁石部２Ａに取付られる。またカバー部２１には、プレート部２２の自由端側（ヒンジピン２２ｂが形成されていない側）の長手方向の縁部両側に形成された突部２２ｃを受容し、突部２２ｃと係合する凹み部２１ｃが形成されている。該突部２２ｃと凹み部とが係合することにより、カバー部２１とヒンジ結合されていないプレート部２２の自由端を固定保持し閉止状態とすることができる。
【００１４】
プレート部２２の内側面（肌に密着しない面）には、調整部３１Ｂを固定する支持突起２２ａが形成されており、調整部３１Ｂの調整孔３１ａを該支持突起２２ａに挿入して調整部３１Ｂが第１の磁石部２Ａに取付けられ、磁石付き装身具１が環状体となる。
プレート部２２の内側面には磁石２０が取り付けられている。磁石２０は、突出して設けられた円筒部２２ｄに埋設されており、磁石２０が円筒部２２ｄから抜け出ないよう接着剤によって接着固定されている。
【００１５】
第２の磁石部２Ｂの大きさは特に限定されるものではないが、例えば長手方向が１０．０ｍｍ〜１５．０ｍｍ、幅方向が８．０ｍｍ〜１２．０ｍｍ、厚みが４．５ｍｍ〜１０．０ｍｍの直方体からなるものを用いることができる。第２の磁石部２Ｂの長手方向の厚み内には、ベルト部３が通じるベルト孔２３が形成され、ベルト孔２３を挟んで両側に形成される孔壁のうち、肌に密着する側の孔壁２３ａには磁石２０が埋設される空間を備えている（図２参照）。
図３に示すように、第２の磁石部２Ｂをつまめば、手首に磁石付き装身具１を装着した後も、第２の磁石部２Ｂを左右方向（図３矢印ｄ方向参照）に動かすことができ、装着中に第２の磁石部２Ｂが動いても、磁石部２０同士が手首を介して対峙して配置されるよう位置を調整することができる。
【００１６】
磁石２０としては、磁束密度が１００〜２３０ミリテスラ（１０００ガウス〜２３００ガウス）の永久磁石が用いられる。これによれば、手首などに磁石付き装身具１を装着するだけで、血行が促進され人体の歪みを正常化し、その結果、肩こりや腰痛を緩和するだけでなく、後記する実測データからも明らかなとおり、筋力を向上させることができる。
磁束密度が１００ミリテスラ未満の場合は、上述の効果を使用者が実感できるものとすることができない。磁束密度が２３０ミリテスラを超える場合は、第１の磁石部１Ａ及び第２の磁石部２Ａを介して身体に浸透する磁束密度が１００ミリテスラ以上になってしまうおそれがあり、また磁束密度を大きくすることによる顕著な筋力の向上が期待できない。更にかなりの高磁束密度を備えた磁石を用いる必要が生じ、コスト高の傾向となってしまう。
【００１７】
磁石２０としては、上述の磁束密度を備えたものであれば、特に種類は限定するものではないが、例えば希土類磁石のネオジム磁石、プラセオジム磁石、プラチナ磁石、セリウム磁石、サマリウムコバルト磁石、ボンド磁石、異方性或いは等方性のフェライト磁石などを用いることができる。特にネオジム磁石によれば、小型であっても、強力な磁束密度を備えたものとすることができる。
【００１８】
磁石２０の形状は中空部２０ａを備えたのリング型（図４（ａ）参照）とし、サイズは外径４．０ｍｍ〜１０．０ｍｍ、内径１．８ｍｍ〜５．０ｍｍ、厚み０．５ｍｍ〜３．０ｍｍなどからなるものを用いることができる。磁石２０の大きさは上述のサイズに限定されるものではないが、上述の数値より大きいものとした場合は、皮膚への浸透距離が深くなるが、磁石２０が大きくなるにともなって第１の磁石部２Ａ及び第２の磁石部２Ｂが大きくなり、バンド部３も太くする必要が生じるため、デザインの自由度が狭まってしまう。
【００１９】
図例のように、手首に装着するものの場合、上述のサイズであれば、磁石２０が小さく薄いので、嵩張ることがなく、装身具としてのファッション性を損なうことがなく、デザインの自由度を高めることができる。
尚、磁石２０の大きさは磁石付き装身具１を装着する場所（手首の他、腕、足首或いは腰周りなど）に応じて設計され、これに限定されるものではない。
【００２０】
第１の磁石部２Ａ及び第２の磁石部２Ｂには同じ磁石２０が用いられており、図４（ｂ）に示すように手首に装着した際に磁石２０の磁極面の極性が互いに引き合うよう取付られている。
図４（ｂ）には手首に装着した際のリング型磁石２０の磁力線の向きを説明のため、模式的に示した図である。
図のようにリング型の磁石２０を用いることにより、中空部２０ａの磁力線が密になり高磁場が形成される。よって円筒型の磁石と比べて磁気がより一層皮膚に浸透するので、体内の血行を促進するとともに、後記するように筋力を向上させる作用をもたらすことができる。
【００２１】
次に、磁石付き装身具１の装着手順の一例を説明する。
予め第２の磁石部２Ｂのベルト孔２３にベルト部３を通しておく。ここで、第２の磁石部２Ｂの磁石２０が取り付けられている側に目印を施せば、装着する向きを誤るおそれがないものとすることができる。バンド部３の調整部３１Ａを第１の磁石部２Ａのカバー部２１とプレート部２２の間の空間２４に挿入し、手首に密着固定されるように手首のサイズに合わせて調整孔３１を支持突起２１ａに挿入して第１の磁石部２Ａとバンド部３の調整部３１Ａとを接続する。これにより、第１の磁石部２Ａはバンド部３に取付固定される。
【００２２】
次に、ベルト部３を手首に巻き付け、第１の磁石部２Ａに固定されてない側の調整部３１Ｂの調整孔３１ａをプレート部２２の支持突起２２ａに挿入し、調整部３１Ｂをプレート部２２にひっかけた状態でカバー部２１を閉じ、凹み部２１ｃと突部２２ｃとをパチンと音がなるまで押し当てて係合させれば、手首にぴったりと密着した状態で磁石付き装身具１を装着することができる。すなわち、バンド部３は第１の磁石部２Ａの空間２４を通じて挟み込まれた状態となる。そしてこのように磁石付き装身具１を手首に装着した後、第１の磁石部２Ａと第２の磁石部２Ｂとが、手首を介して対峙して配置されるように第２の磁石部２Ｂの移動調整を行う（図３参照）。
【００２３】
磁石付き装身具１を装着する手首は、左手首、右手首を問わずに装着させることができる。上述のように、磁石２０が所定の向きで第１の磁石部２Ａ及び第２の磁石部に取り付けられており、取外しが容易な構造となっているので、はじめて装着する使用者であっても、容易に正しく装着することができる。
【００２４】
次に図５〜図７に示す試着データに基づき、図１に示す磁石付きリング状装身具１を装着したときの効果について説明する。
図５はボクシングをしている２１歳、身長１７５ｃｍ、体重６１．７ｋｇの男性アスリート（Ａさん）の、図６は空手をしている２７歳、身長１５７ｃｍ、体重５０．６ｋｇの女性アスリート（Ｂさん）の計４回の様々な計測結果をそれぞれまとめ、表にしたものである。
磁石付きリング状装身具１を手首に装着した直後（第１回）、１週間後（第２回）、２週間後（第３回）、そして磁石付きリング状装身具１をはずしてから１週間後（第４回）のトレーニング前後に以下の計測を行った。
トレーニング前後に、体重、体脂肪率、体脂肪量、筋肉率、筋肉量、内臓脂肪指数、基礎代謝量を計測するとともに、上半身、下半身及び体幹を鍛えるトレーニングで最大パワー、スピードを計測した。ここで、トレーニングの最大パワーとスピードは、トレーニング動作時のパワー（Ｗ）とスピード（ｍ／ｓ）を計測できる専用機を用いて計測した数値である。
【００２５】
図５の計測結果から、Ａさんは着用２週間後に、上半身、下半身のパワー、スピードが夫々アップし、体幹トレーニングにおいては筋持久力が着用２週間後に２２．２パーセントアップした。特に下半身のスピードは着用直後に１２．５パーセントアップし、着用２週間後には２５パーセントの顕著な効果がみられた。体脂肪率、体脂肪量、内臓脂肪指数の減少がみられ、内臓脂肪指数においては着用２週間後に３３．３パーセントの減少がみられた。
【００２６】
図６の計測結果から、Ｂさんは着用２週間後に、上半身、下半身のパワー、スピードが夫々アップし、体脂肪率、体脂肪量、内臓脂肪指数の減少がみられ、一般に女性は落としにくいといわれる体脂肪率が着用直後のトレーニングで８．６２パーセント、着用２週間後に１９．５パーセント減少した。また全体の筋肉量が着用２週間後に９．１４パーセント上昇した。
以上より、磁石付き装身具１を装着すると、上半身・下半身のトレーニングデータの上昇、体脂肪率の減少と筋肉率の上昇が顕著に見られ、トレーニングの効果が増すことがわかる。また１ヶ月に亘るモニター結果から、着用直後でも上述の効果が見られ、着用後１週間後よりも２週間後の方がパワー及びスピードの向上が見られるので、長く装着するとその効果が持続するということがわかる。更に磁石付きリング状装身具１をはずしてから１週間は、上半身と下半身のパワー及びスピードアップの効果が持続することもわかる。
【００２７】
図７は筋力が上昇していることを証明するデータを示しており、７名の成人に対して、握力、背筋力、垂直とび、２０Ｍ走を測定した結果を表にまとめた図である。ここでは、磁石付き装身具１を装着した場合と未装着の場合とを比較して示しており、装着してから１分後、６日後、１０日後の測定結果が記されている。
【００２８】
Ｃさんについては、１０日後のデータはないが背筋力のみが２２ｋｇ上昇している。
Ｄさんについては、握力、背筋力が未装着時に比べてともに上昇しており、特に背筋力が３２ｋｇ上昇しており、これは７名の中でも一番の上昇率である。
Ｅさんについては、垂直とびが４ｃｍ上昇しており、背筋力が２１ｋｇ上昇している。
Ｆさんについては、２０Ｍ走が装着してから１分後及び１０日後についてタイムが縮まっており、背筋力が１５ｋｇ上昇している。
Ｇさんについては、２０Ｍ走のタイムが軒並み縮まっており、背筋力が１３ｋｇ上昇している。
Ｈさんについては、背筋力が１０ｋｇ上昇している。
Ｉさんについては、背筋力が１６ｋｇ上昇している他、垂直とびが１２ｃｍ、２０Ｍ走のタイムが若干縮まっている。
【００２９】
測定結果を分析すると、７名全員の背筋力の数値が上昇している点が目をひく。背筋力は測定の度に変動し難く、比較的安定した筋力と言われているため、筋力の上昇を測定するには極めて信憑性の高いデータといえる。これにより、磁石付き装身具１を装着した場合と未装着の場合では、筋力アップのトレーニングを一切していないにもかかわらず、ほとんどの人の筋力が上昇していることがわかる。
【００３０】
続いて図８、図９を参照しながら、磁石付き装身具１の変形例について説明する。上述の例と共通する部分には共通の符号を付し、その説明は割愛する。
図８（ａ）及び図８（ｂ）に示す磁石付き装身具１は、綿、アクリル、ナイロン、ポリウレタンなどの混紡からなるタオル地のリストバンドタイプのものであり、スポーツなどをする際にも汗を吸い取るのに好適なデザインとなっている。
バンド部３は、上述の素材をニット状に編むことにより伸縮性を持たせたり、ゴム材を内蔵させて伸縮自在となっている。
バンド部３は図８（ｂ）に示すように方形の布体からなり、その両端部はマジックテープ（登録商標）などを用いた面ファスナー４０を備えた止着部４が設けられている。これによれば、手首のサイズに応じて止める位置を調整でき、肌に密着させた状態で装着することができる。
【００３１】
バンド部３には第１の磁石部２Ａと第２の磁石部２Ｂが設けられており、第１の磁石部２Ａと第２の磁石部２Ｂとには、１００〜２３０ミリテスラの磁束密度を有する磁石２０が取り付けられている。ここで用いられる磁石２０は上述のものと同じであるので、説明は割愛する。
バンド部３を構成する布体は２重構造となっており、２重構造とするために、同じ大きさの布体を２枚重ねて縫合したものとしてもよいし、１枚の布体を折り重ねて２重構造とし、これを縫合したものとしてもよい。
【００３２】
第１の磁石部２Ａと第２の磁石部２Ｂに取付られた磁石２０が、手首に装着した際に肌に密着し露出されるようバンド部３には開口部３２が形成されている。
第１の磁石部２Ａと第２の磁石部２Ｂとは、磁石付き装身具１を手首に装着した際に、磁石２０の磁極面の極性が互いに引き合い且つ第１の磁石部２Ａと第２の磁石部２Ｂが手首を介して対峙する位置によう配置される位置に設けられている。
磁石２０は、軟質の樹脂プレート６に接着剤によって接着固定されており、該樹脂プレート６は、２重構造の布体と布体の間で且つ磁石２０が上記開口部３２から露出するようにバンド部３に縫い付けられている。５は縫い目を示している。
なお、このタイプのものにおいても形状、構成は図例に限定されるものではなく、止着部４を備えていない筒状のバンド部３からなるものとしてもよい。
【００３３】
図９（ａ）に示す磁石付きリング状装身具１は、図１に示すような調整部３１Ａ，３１Ｂを備えず、バンド部３がリング状の伸縮性の高い弾性部３０からなるタイプのものである。
第１の磁石部２Ａ及び第２の磁石部２Ｂには、磁石２０が組込まれており、バンド部３が通じるベルト孔２３が形成されている。図９（ａ）に示すように予めこのベルト孔２３にバンド部３が通じた状態とし、バンド部３に第１の磁石部２Ａ及び第２の磁石部２Ｂを通した後、バンド部３はリング状に接合される。手首に装着する場合は、手首に装着後、第１の磁石部２Ａと第２の磁石部２Ｂとが、手首を介して対峙して配置するように調整することができる（図９（ａ）矢印ｄ参照）。
これによれば、簡易な構成でありながらも身体にフィットさせた状態で、磁石付きリング状装身具１を装着させることができる。
【００３４】
図９（ｂ）に示す磁石付きリング状装身具１は、ベルト部３が必ずしも高い伸縮性を備えたものでなくてもいい例を示しており、図１に示すものとは、調整部の構成や第１の磁石部２Ａ及び第２の磁石部２Ｂの形状、構成が異なるものである。
調整部３１Ｃがリング状金具となっており、布製或いは皮製などからなるベルト部３は、その一方の片端部が調整部３１Ｃに縫い付けられており、もう一方の片端部は調整部３１Ｃを通じた後、折り返されて止着されるようになっている。ここではベルト部３の片端部が折り返されて止着されるようにマジックテープ（登録商標）などの面ファスナー４０を備えた止着部４が設けられている。
【００３５】
第１の磁石部２Ａは図１或いは図９（ａ）のようにバンド部３が通じるベルト孔２３を備えており、磁石２０が組込まれていることは上述と同様である。
第２の磁石部２Ｂはバンド部３に一体に縫合されており、第２の磁石部２Ｂの位置にあわせて第１の磁石部２Ａの位置を調整するようになっている（図９（ｂ）矢印ｄ参照）。
これによれば伸縮性のないバンド部３であっても身体に密着させて巻き付けることができ、身体に適度にフィットした状態で装着することができる。
【００３６】
尚、磁石付き装身具１のデザインは上述の例に限定されるものではなく、第１の磁石部２Ａ、第２の磁石部２Ｂの形状、構造も上述の例に限定されるものではない。例えば連結金具の機能を備えた第１の磁石部２Ａは、ズボンのベルトや時計のベルトと同じ連結構造を採用することができ、ベルト部３としても汗吸収機能などを備えたものを用いることができる。
【図面の簡単な説明】
【００３７】
【図１】本考案に係る磁石付き装身具の一実施形態を示す全体斜視図である。
【図２】同磁石付き装身具の側面図である。
【図３】同磁石付き装身具を手首に装着した例を示す斜視図である。
【図４】（ａ）は同磁石付き装身具に用いられる磁石の全体斜視図、（ｂ）は同磁石付き装身具の装着時の磁力線を模式的に示した説明図である。
【図５】同磁石付き装身具の効果を証明するために種々測定結果をまとめた図である。
【図６】同磁石付き装身具の効果を証明するために種々測定結果をまとめた図である。
【図７】同磁石付き装身具の効果を証明するために種々測定結果をまとめた図である。
【図８】同磁石付き装身具の変形例を示しており、（ａ）は該磁石付き装身具の変形例の全体斜視図、（ｂ）は磁石付き装身具の平面図である。
【図９】（ａ）（ｂ）は同磁石付きリング状装身具のさらに別の変形例の全体斜視図である。
【符号の説明】
【００３８】
１      磁石付き装身具
２Ａ      第１の磁石部（磁石部）
２Ｂ      第２の磁石部（磁石部）
２０      磁石
２１      カバー部
２２      プレート部
３      バンド部
【図１】
0003148371.tif 000003
【図２】
0003148371.tif 000004
【図３】
0003148371.tif 000005
【図４】
0003148371.tif 000006
【図５】
0003148371.tif 000007
【図６】
0003148371.tif 000008
【図７】
0003148371.tif 000009
【図８】
0003148371.tif 000010
【図９】
0003148371.tif 000011